(57)【要約】【課題】施錠状態にある引出し本体を、引き手による引出し操作により、前方に向けて無理に引き出そうとしても、引出しの係留が外れて、引出し本体が引出されるようなことがなく、セキュリティ性の高いキャビネットの引出し構造を提供する。【解決手段】前面板５の裏面に、引き手７とロック機構間の左右方向の中間位置から後方に向けて当接部材１５を突設し、施錠状態にある引出し本体４の引き手７に加えられた前向きの力によって、前面板５の中央部が前方に湾曲した場合に、当接部材１５が操作軸８の中間部を後方へ押すことにより、操作軸８の外端８ａがロック機構との連係状態から後方に離脱するようにする。【選択図】    図３
2008229255.tif 000002
【特許請求の範囲】
【請求項１】
筐体における前方に開口する空間内に、前後方向に引出し可能に設けられた引出し本体の前面板に、引出し開閉操作に応じて左右方向の軸周りに回動しうるように取り付けられた引き手と、この引き手から左右方向に向かって突設されている操作軸と、この操作軸の回動に連係し、かつ引出し本体を筐体から引出されないようにするロック機構とを有し、このロック機構を、操作軸の回動と連係して作動させることにより、常時ロック状態を維持する引出し本体のロック解除を行うようにするとともに、施錠操作により、前記操作軸の回動を阻止して、引出し本体の開閉を防止する施錠装置を備えた引出し構造において、
前面板の裏面に、引き手とロック機構間の左右方向の中間位置から後方に向けて当接部材を突設し、施錠状態にある引出し本体の引き手に加えられた前向きの力によって、前面板の中央部が前方に湾曲した場合に、前記当接部材が操作軸の中間部を後方へ押すことにより、操作軸の外端がロック機構との連係状態から後方に離脱するようにしたことを特徴とする引出し構造。
【請求項２】
ロック機構を、引き手の引出し開閉操作に応じて連動する操作軸に連係し、かつ上下方向の軸周りに回動するラッチ軸と、このラッチ軸に設けたラッチと、このラッチに形成した係合孔とを有するラッチユニットにより構成するとともに、操作軸と連係してラッチ軸を回動させることにより、筐体における前方に開口する前記空間を形成する内壁に左右方向の内側に向けて突設された係止爪に、ラッチ軸におけるラッチの係合孔を係脱させて、引出し本体を筐体に係留または離脱を可能とした請求項１記載の引出し構造。
【請求項３】
ラッチ軸を、ラッチの係合孔が、筐体に突設した係止爪に常時係合する方向に回動付勢した請求項２に記載のキャビネットの引出し構造。
【請求項４】
操作軸の外端とラッチ軸との連係部の間に間隙を形成した請求項２または３記載のキャビネットの引出し構造。
【請求項５】
引き手もしくは操作軸を、引出し本体の引出し操作時における回動方向と逆向きに回動付勢した請求項４に記載のキャビネットの引出し構造。
【発明の詳細な説明】
【技術分野】
【０００１】
本発明は、オフィス等の執務空間にて使用されるキャビネット等における引出し構造に関する。
【背景技術】
【０００２】
キャビネット等の引出し構造において、キャビネットを不用意に移動させたり、引出しが地震などの衝撃を受けて不用意に抜け出さないように、引出しにラッチ装置を設けることが一般に行われている（例えば、特許文献１〜３参照）。
【０００３】
図９は、従来のラッチ装置を備える引出しの要部拡大横断面図である。
図９（ａ）に示すように、前面が開口するキャビネット０１内に、引き手０２による前後方向の開閉操作により引出し可能な引出し本体０３を備えている。
【０００４】
引出し本体０３における前面板０４の裏面には、引き手０２の開閉操作に連動して水平軸周りに回動する操作軸０５が、左右方向に設けられており、この操作軸０５の外端０５ａに、ラッチ軸０６のクランク部０６ａを連係させて回動させることにより、ラッチ軸０６におけるラッチ０７の係合孔０８を、キャビネット０１の内側面に設けた係止爪０９に係脱させて、ロック状態を維持しうるようになっている。
【０００５】
操作軸０５は、別途の施錠装置の施錠により、回動が阻止されるようになっている。
しかし、施錠状態の引出し本体０３を、引き手０２による引出し操作により、前方に向けて無理に引き出そうとすると、図９（ｂ）に想像線で示す通常の状態から、前面板０４が前方へ大きく湾曲し、この前面板０４の湾曲によって、操作軸０５の外端０５ａが前方に移動して、ラッチ軸０６を回動させる場合がある。
【０００６】
この回動により、ラッチ０７の係合孔０８が、キャビネット０１の係止爪０９から離脱し、引出し本体０３の係留が外れて、ロック解除状態となり、引出し本体０３が引き出され、セキュリティ性が低下する虞がある。
一方、前面板０４が湾曲しないように、その強度を大きくしようとすると、構造が複雑化するとともに、コスト高になる。
【特許文献１】特開２０００−０３７２４７号公報
【特許文献２】特開２００５−０１６２２３号公報
【特許文献３】特開２００３−２３９６０５号公報
【発明の開示】
【発明が解決しようとする課題】
【０００７】
本発明は、前記の現状に鑑み、施錠状態にある引出し本体を、引き手による引出し操作により、前方に向けて無理に引き出そうとしても、引出しの係留が外れて、引出し本体が引出されるようなことがなく、セキュリティ性の高い引出し構造を提供することを目的とする。
【課題を解決するための手段】
【０００８】
上記課題は、「特許請求の範囲」の欄における各請求項に記載するように、次のような構成からなる発明によって解決される。
（１）筐体における前方に開口する空間内に、前後方向に引出し可能に設けられた引出し本体の前面板に、引出し開閉操作に応じて左右方向の軸周りに回動しうるように取り付けられた引き手と、この引き手から左右方向に向かって突設されている操作軸と、この操作軸に連係し、かつ引出し本体を筐体から引出されないようにするロック機構とを有し、このロック機構を、操作軸の回動と連係して作動させることにより、常時ロック状態を維持する引出し本体のロック解除を行うようにするとともに、施錠操作により、前記操作軸の回動を阻止して、引出し本体の開閉を防止する施錠装置を備えた引出し構造において、前面板の裏面に、引き手とロック機構間の左右方向の中間位置から後方に向けて当接部材を突設し、施錠状態にある引出し本体の引き手に加えられた前向きの力によって、前面板の中央部が前方に湾曲した場合に、前記当接部材が操作軸の中間部を後方へ押すことにより、操作軸の外端がロック機構との連係状態から後方に離脱するようにする。
【０００９】
（２）上記（１）項において、ロック機構を、引き手の引出し開閉操作に応じて連動する操作軸に連係し、かつ上下方向の軸周りに回動するラッチ軸と、このラッチ軸に設けたラッチと、このラッチに形成した係合孔とを有するラッチユニットにより構成するとともに、操作軸と連係してラッチ軸を回動させることにより、筐体における前方に開口する前記空間を形成する内壁に左右方向の内側に向けて突設された係止爪に、ラッチ軸におけるラッチの係合孔を係脱させて、引出し本体を筐体に係留または離脱を可能とする。
【００１０】
（３）上記（２）項において、ラッチ軸を、ラッチの係合孔が筐体の係止爪に係合する方向に回動付勢する。
【００１１】
（４）上記（２）項または（３）項において、操作軸の外端とラッチ軸との連係部の間に間隙を形成する。
【００１２】
（５）上記（４）項において、引き手もしくは操作軸を、引出し本体の引出し操作時における回動方向と逆向きに回動付勢する。
【発明の効果】
【００１３】
本発明によると、次のような効果が奏せられる。
請求項１記載の発明によれば、前面板の裏面に、引き手とロック機構間の左右方向の中間位置から後方に向けて当接部材を突設し、施錠状態にある引出し本体の引き手に加えられた前向きの力によって、前面板の中央部が前方に湾曲した場合に、前記当接部材が操作軸の中間部を後方へ押すことにより、操作軸の外端がロック機構との連係状態から後方に離脱するようにしてあるため、施錠状態にある引出し本体を、引き手の引出し操作によって、無理に前方に引き出そうとしても、引出しの係留が外れて、引出し本体が引出されるようなことがなく、セキュリティ性を高めることができる。
【００１４】
請求項２記載の発明によれば、操作軸とラッチユニットとの連係により、ロック機構のロックおよびロック解除を円滑に行うことができる。
【００１５】
請求項３記載の発明によれば、ラッチ軸を、ラッチの係合孔が係止爪に係合する方向に回動付勢してあるため、引出しの係留の外れを効果的に防止することができる。
【００１６】
請求項４記載の発明によれば、操作軸の外端とラッチ軸における連係部の間に間隙を形成してあるため、施錠状態にある引出し本体を、引き手によって引出し操作により、前方に向けて無理に引き出そうとしても、間隙分の遊び代があり、その分、操作軸の外端とラッチ軸とが連係されることがなく、引出しの係留の外れを効果的に防止することができる。
【００１７】
請求項５記載の発明によれば、引き手もしくは操作軸を、引出し本体の引出し操作時における回動方向と逆向きに回動付勢してあるため、操作軸を、引き手による引出し操作時における回動位置から元の位置に弾性復帰させることができ、引出し本体の施錠状態において、操作軸の外端とラッチ軸における連係部の間における間隙の幅を常に一定に保つことができる。
【発明を実施するための最良の形態】
【００１８】
以下、本発明を図面に基づいて詳細に説明する。図１は、本発明の第１実施形態の引出構造を備えたキャビネットの正面図、図２は、図のＩＩ−ＩＩ線における引出し本体前部の要部拡大縦断面図であり、（ａ）は、ラッチユニットのロック状態における回動規制部材による引き手の後方への回動規制状態、（ｂ）は、ラッチユニットのロック解除状態における引き手の前方への回動状態を、それぞれ示す図、図３は、図１のＩＩＩ−ＩＩＩ線におけるラッチユニットのロック状態を示す要部拡大横断面図、図４は、ラッチユニットの要部拡大斜視図、図５は、ラッチユニットのロック解除状態を示す要部拡大横断面図、図６は、同じく、引出し施錠時の引き手による前方に向けての無理な引出し操作により前面板が変形した際の操作軸の挙動を示す要部拡大横断面図である。
【００１９】
図１に示すように、キャビネット１における前面１ａが開口する空間２内には、施錠装置３によって、それぞれ施錠または開錠可能にした引出し本体４が、上下に複数段に亘って前後方向に引出し可能に設けられている。
【００２０】
引出し本体４は、図２に示すように、前端に、キャビネット１における空間２の前面開口を閉塞する前面板５を有し、この前面板５の中央には、把手枠６が設けられており、この把手枠６内には、引出し開閉操作に応じて左右方向の軸周りに回動しうるように引き手７が取り付けられている。
【００２１】
引き手７は、図３に示すように、前面板５の裏面に左右方向に向けて突設した操作軸８の中央部に設けられ、この操作軸８は、引き手７の引出し開閉操作に連動して回動し、後記するラッチユニットに連係しうるようになっている。
【００２２】
操作軸８は、施錠装置３に連係する回動規制部材９によって、引出し本体４の施錠時おいて、図２（ａ）に示すように、施錠装置３の施錠部３ａが回動規制部材９の回動を阻止しうるように連係させることにより、引き手７の引出し操作に連動しないように、その回動が阻止されている。
また、開錠時には、図２（ｂ）に示すように、施錠装置３の施錠部３ａが回動規制部材９から離脱しうるように連係させることにより、引き手７の引出し操作に連動して回動しうるようになっている。
なお、施錠装置３は、鍵操作により施錠または開錠するものであり、これにより、回動規制部材９を介して、操作軸８の回動を規制する機構自体は周知のものであり、その詳細な説明は省略する。
【００２３】
操作軸８の外端８ａは、図４に示すように、下方に向けてクランク状に折曲されて、前面板５の裏面における上下方向の軸周りに回動するラッチ軸１０のクランク部１０ａに連係させてある。
【００２４】
ラッチ軸１０の下端部には、ラッチ１１が設けられており、このラッチ１１には、左右方向の係合孔１２が貫通形成されている。
【００２５】
ラッチ軸１０は、操作軸８の外端８ａに連係して上下方向の軸周りに回動しうるように作動するとともに、ばね１３によって、ラッチ１１における係合孔１２が、前記キャビネット１における前方に開口する空間２の内壁１ｂに左右方向の内側向きに突設された係止爪１４と係合する平面視時計回り方向に常時付勢されており、ロック状態を維持している（図３参照）。
【００２６】
ラッチ１１は、図５に示すように、引き手７による引出し操作によって、操作軸８を介して、ばね１３の付勢力に抗して、反時計回り方向に回動し、これにより、ラッチ１１の係合孔１２と係止爪１３との係合が解かれ、ロック解除状態となる。
ロック機構は、これらラッチ軸１０、ラッチ１１、係合孔１２、および係止爪１４を備えるラッチユニットによって構成されている。
【００２７】
図３に示すように、引出し本体４における前面板５の裏面には、引き手７と、ラッチユニットとの左右方向のほぼ中間位置に、当接部材１５が後方に向けて突設されている。
【００２８】
当接部材１５は、前方から操作軸８に向けて当接されているとともに、操作軸８は、前記当接部材１５の当接部位における中間部から、その外端８ａに至る部位を、平面視において後方に向けて、くの字形に屈曲されている。
【００２９】
施錠装置３による引出し本体４の施錠状態において、引き手７による引出し操作により加えられた前向きの力によって、引出し本体４を無理に引き出そうとして、引出し本体４の引き手７に前方に向けて大きな力が負荷された際に、図６に示すように、前面板５の中央部が、想像線で示す通常の位置から、実線で示す前方へ弓形に湾曲し、この前面板５の前方への変形に応じて、当接部材１５が操作軸８の中間部を後方に押すことにより、操作軸８の外端８ａと、ラッチユニットにおけるラッチ軸１０のクランク部１０ａとの連係を、後方に離脱させるようになっている。
このため、操作軸８の外端８ａが、ラッチ軸１０のクランク部１０ａと連係して、ラッチ１１の係合孔１２が、キャビネット１の係止爪１４から外れることがなく、施錠状態にある引出し本体４を、引き手７によって無理に前方に引き出そうとしても、引出しの係留が外れて、引出し本体４が引出されるようなことがなく、セキュリティ性を高めることができる。
【００３０】
図７は、本発明の第２実施形態におけるラッチユニットのロック状態を示す要部拡大横断面図、図８は、引出し本体前部の要部拡大縦断面図である。
【００３１】
前記第１実施形態との相違点は、図７に示すように、引出し本体１６における前面板１７の裏面に設けた操作軸１８の外端１８ａと、ラッチユニットにおけるラッチ軸１９のクランク部１９ａとの連係部の間に、間隙２０を形成するとともに、図８に示すように、操作軸１８を、回動規制部材２１に組み付けたばね２２によって、引出し本体１６の引出し操作時における回動方向と逆向きに付勢していることにある。
【００３２】
これにより、引出し本体１６の施錠状態において、引き手２３の引出し操作によって、無理に前方に引き出そうとしても、間隙２０の幅に応じた遊び代があり、その分、操作軸１８の外端１８ａとラッチ軸１９とが連係されることがないため、引出しの係留が外れて、引出し本体１６が引出されるようなことがなく、セキュリティ性を高めることができる。
また、操作軸１８が、ばね２２によって、引出し本体１６の引出し操作時における回動方向と逆向きに回動付勢されているため、操作軸１８を、引き手２３による引出し操作時の回動位置から元の位置に復帰させることができ、引出し本体１６の施錠状態において、操作軸１８と、ラッチ軸１９との連係部の間における間隙２０の幅を常に一定に保つことができる。
【図面の簡単な説明】
【００３３】
【図１】本発明の第１実施形態の引出構造を備えたキャビネットの正面図である。
【図２】図１のＩＩ−ＩＩ線における引出し本体前部の要部拡大縦断面図であり、（ａ）は、ラッチユニットのロック状態における回動規制部材による引き手の後方への回動規制状態、（ｂ）は、ラッチユニットのロック解除状態における引き手の前方への回動状態を、それぞれ示す図である。
【図３】図１のＩＩＩ−ＩＩＩ線におけるラッチユニットのロック状態を示す要部拡大横断面図である。
【図４】ラッチユニットの要部拡大斜視図である。
【図５】ラッチユニットのロック解除状態を示す要部拡大横断面図である。
【図６】同じく、引出し施錠時の引き手による前方に向けての無理な引出し操作により前面板が変形した際の操作軸の挙動を示す要部拡大横断面図である。
【図７】本発明の第２実施形態におけるラッチユニットのロック状態を示す要部拡大横断面図である。
【図８】引出し本体前部の要部拡大縦断面図である。
【図９】従来のラッチ装置を備える引出しの要部拡大横断面図であり、（ａ）は、ラッチユニットのロック状態、（ｂ）は、同じく、引出し施錠時の引き手による前方に向けての無理な引出し操作により前面板が変形した際の操作軸の挙動を、それぞれ示す図である。
【符号の説明】
【００３４】
１    キャビネット
１ａ  前面
１ｂ  内壁
２    空間
３    施錠装置
３ａ  施錠部
４    引出し本体
５    前面板
６    把手枠
７    引き手
８    操作軸
８ａ  外端
９    回動規制部材
１０  ラッチ軸
１０ａ  クランク部
１１  ラッチ
１２  係合孔
１３  ばね
１４  係止爪
１５  当接部材
１６  引出し本体
１７  前面板
１８  操作軸
１８ａ  外端
１９  ラッチ軸
１９ａ  クランク部
２０  間隙
２１  回動規制部材
２２  ばね
２３  引き手
０１  キャビネット
０２  引き手
０３  引出し本体
０４  前面板
０５  操作軸
０５ａ  外端
０６  ラッチ軸
０６ａ  クランク部
０７  ラッチ
０８  係合孔
０９  係止爪
【図１】
2008229255.tif 000003
【図２】
2008229255.tif 000004
【図３】
2008229255.tif 000005
【図４】
2008229255.tif 000006
【図５】
2008229255.tif 000007
【図６】
2008229255.tif 000008
【図７】
2008229255.tif 000009
【図８】
2008229255.tif 000010
【図９】
2008229255.tif 000011